(57)【要約】【課題】暗号化処理に用いられる鍵情報の他人による取得を困難にするとともに、たとえ鍵情報が漏洩したとしても即座に新しい鍵情報を生成して復号化を困難にする。【解決手段】被写体を透過した放射線の照射を受けて被写体の放射線画像を検出する放射線検出部４０から放射線画像を表す放射線画像信号を読み取るとともに、被写体の放射線画像の撮影に関する情報を取得し、その取得した撮影に関する情報に基づく鍵情報を用いて、放射線画像信号に対して暗号化処理を施して暗号化放射線画像信号を生成し、暗号化放射線画像信号を無線通信信号として出力する。【選択図】図３
2012040216.tif 000002
【特許請求の範囲】
【請求項１】
被写体を透過した放射線の照射を受けて前記被写体の放射線画像を検出する放射線検出部から前記放射線画像を表す放射線画像信号を読み取るとともに、前記被写体の放射線画像の撮影に関する情報を取得し、
該取得した前記撮影に関する情報に基づく鍵情報を用いて、前記放射線画像信号に対して暗号化処理を施して暗号化放射線画像信号を生成し、
該暗号化放射線画像信号を無線通信信号として出力することを特徴とする放射線画像信号の暗号化処理方法。
【請求項２】
被写体の放射線画像の撮影に関する情報の入力を受け付け、
被写体を透過した放射線の照射を受けて前記被写体の放射線画像信号を検出する放射線画像検出装置に対して、前記受け付けた撮影に関する情報を無線通信信号として出力し、
前記放射線画像検出装置において前記撮影に関する情報に基づく鍵情報を用いて前記放射線画像信号に対して暗号化処理が施された暗号化放射線画像信号であって、前記放射線画像検出装置から無線通信信号として出力された暗号化放射線画像信号を受信し、
該受信した暗号化放射線画像信号に対して、前記撮影に関する情報に基づく鍵情報を用いて復号化処理を施して放射線画像信号を生成することを特徴とする放射線信号の復号化処理方法。
【請求項３】
被写体を透過した放射線の照射を受けて前記被写体の放射線画像を検出する放射線検出部と、
該放射線検出部から前記放射線画像を表す放射線画像信号を読み取る読取部と、
前記被写体の放射線画像の撮影に関する情報を取得する撮影情報取得部と、
該撮影情報取得部によって取得された撮影に関する情報に基づく鍵情報を用いて、前記放射線画像に対して暗号化処理を施して暗号化放射線画像信号を生成する暗号化処理部と、
該暗号化処理部よって生成された暗号化放射線画像信号を無線通信信号として出力する無線通信部とを備えたことを特徴とする放射線画像検出装置。
【請求項４】
前記撮影に関する情報が、前記放射線画像の撮影毎に変わる情報を含むものであることを特徴とする請求項３記載の放射線画像検出装置。
【請求項５】
前記鍵情報が、前記撮影に関する情報の一部を用いて生成されたものであることを特徴とする請求項３または４記載の放射線画像検出装置。
【請求項６】
前記撮影に関する情報が、前記放射線画像の撮影手技、前記被写体としての患者情報、および前記放射線画像の撮影時刻の少なくとも１つの情報を含むものであることを特徴とする請求項３から５いずれか１項記載の放射線画像検出装置。
【請求項７】
前記撮影に関する情報が、前記放射線画像の撮影を実施した際に取得される撮影実施条件を含むものであることを特徴とする請求項３から６いずれか１項記載の放射線画像検出装置。
【請求項８】
被写体の放射線画像の撮影に関する情報の入力を受け付ける撮影情報受付部と、
請求項３から６いずれか１項記載の放射線画像検出装置に対して、前記撮影情報受付部によって受け付けられた撮影に関する情報を無線通信信号として出力するとともに、前記放射線画像検出装置において前記撮影に関する情報に基づく鍵情報を用いて生成され、無線通信信号として出力された暗号化放射線画像信号を受信する無線通信部と、
該無線通信部によって受信された暗号化放射線画像信号に対して、前記撮影に関する情報に基づく鍵情報を用いて復号化処理を施して放射線画像信号を生成する復号化処理部とを備えたことを特徴とする放射線画像信号生成装置。
【請求項９】
前記撮影に関する情報が、前記放射線画像の撮影毎に変わる情報を含むものであることを特徴とする請求項８記載の放射線画像信号生成装置。
【請求項１０】
前記鍵情報が、前記撮影に関する情報の一部を用いて生成されたものであることを特徴とする請求項８または９記載の放射線画像検出装置。
【請求項１１】
前記撮影に関する情報が、前記放射線画像の撮影手技、前記被写体としての患者情報、および前記放射線画像の撮影時刻の少なくとも１つの情報を含むものであることを特徴とする請求項８から１０いずれか1項記載の放射線画像信号生成装置。
【請求項１２】
前記撮影に関する情報が、前記放射線画像の撮影を実施した際に取得される撮影実施条件を含むものであることを特徴とする請求項８から１１いずれか１項記載の放射線画像信号生成装置。
【発明の詳細な説明】
【技術分野】
【０００１】
本発明は、被写体を透過した放射線の照射を受けて被写体の放射線画像を検出する放射線検出部から読み取った放射線画像信号を暗号化して無線通信信号として送信する放射線画像信号の暗号化処理方法、その暗号化された放射線画像信号に対して復号化処理を施して放射線画像信号を生成する復号化処理方法、上記暗号化処理方法を用いた放射線画像検出装置および上記復号化処理方法を用いた放射線画像信号生成装置に関するものである。
【背景技術】
【０００２】
従来、医療分野などにおいて、被写体を透過した放射線の照射により被写体に関する放射線画像を記録する放射線検出器が各種提案、実用化されている。
【０００３】
上記放射線検出器としては、たとえば、放射線の照射により電荷を発生するアモルファスセレンなどの半導体を利用した放射線検出器があり、そのような放射線検出器として、いわゆる光読取方式のものやＴＦＴ読取方式のものが提案されている。
【０００４】
そして、上記のような放射線検出器を用いた放射線画像撮影システムとして、特許文献１には、放射線検出器から読み取られた放射線画像信号を無線通信信号として出力する放射線画像検出装置と、その装置から無線通信信号を受信するとともに、放射線画像検出装置に制御信号を無線通信信号として出力する制御装置とを備えたものが提案されている。
【０００５】
ここで、被写体である患者を撮影した放射線画像には、体内の病変部などの患者のプライバシーに関わる情報が含まれている。したがって、このような患者のプライバシーに関わる情報を含む放射線画像信号が、無線通信の通信途中において他人に傍受されたり、漏洩してしまったりしないように情報セキュリティを向上させる必要がある。
【０００６】
このような患者のプライバシーに関わる情報を保護する方法として、たとえば、特許文献２においては、放射線画像信号を間引きすることによって低解像度な放射線画像信号とし、たとえ傍受されても個人情報の特定を困難にする方法が提案されている。
【０００７】
しかしながら、特許文献２に記載の方法では、骨折や骨の変形などは低解像度な放射線画像信号でも認識することができるため保護が十分であるとはいえない。
【０００８】
また、特許文献３においては、電波の漏洩を防止するため、放射線画像信号を無線通信信号として出力する装置と、その装置から出力された無線通信信号を受信する装置とを電波シールドされている撮影室内に設置する方法が提案されている。
【０００９】
しかしながら、特許文献３に記載の方法では、電波シールドされた撮影室を設置する必要があるとともに、撮影室内の受信装置と撮影室外に設けられた制御装置とを有線で接続する必要があり、ケーブル配設などの手間と費用がかかる問題がある。
【００１０】
また、特許文献４においては、放射線画像信号を無線通信信号として出力する際、放射線画像信号に暗号化処理を施し、受信装置側で復号化処理を施して放射線画像信号を生成する方法が提案されている。
【先行技術文献】
【特許文献】
【００１１】
【特許文献１】特開２００３−２１０４４４号公報
【特許文献２】特開２０１０−１２０６０号公報
【特許文献３】特開２００２−９４９１４号公報
【特許文献４】再表２００６−１０１２３０号公報
【発明の概要】
【発明が解決しようとする課題】
【００１２】
しかしながら、放射線画像信号を暗号化する方法として、鍵情報を用いて暗号化処理を施す方法が一般的に知られているが、このような方法を採用した場合、万が一、鍵情報自体が漏洩してしまった場合には、放射線画像信号の復号化が可能になってしまいセキュリティ上やはり問題がある。
【００１３】
本発明は、上記の事情に鑑み、他人による鍵情報の取得を困難にするとともに、たとえ鍵情報が漏洩したとしても即座に新しい鍵情報を生成して復号化を困難にすることができる放射線画像信号の暗号化処理方法、復号化処理方法、放射線画像検出装置および放射線画像信号生成装置を提供することを目的とする。
【課題を解決するための手段】
【００１４】
本発明の放射線画像信号の暗号化処理方法は、被写体を透過した放射線の照射を受けて被写体の放射線画像を検出する放射線検出部から放射線画像を表す放射線画像信号を読み取るとともに、被写体の放射線画像の撮影に関する情報を取得し、その取得した撮影に関する情報に基づく鍵情報を用いて、放射線画像信号に対して暗号化処理を施して暗号化放射線画像信号を生成し、暗号化放射線画像信号を無線通信信号として出力することを特徴とする。
【００１５】
本発明の放射線画像信号の復号化処理方法は、被写体の放射線画像の撮影に関する情報の入力を受け付け、被写体を透過した放射線の照射を受けて被写体の放射線画像信号を検出する放射線画像検出装置に対して、受け付けた撮影に関する情報を無線通信信号として出力し、放射線画像検出装置において撮影に関する情報に基づく鍵情報を用いて放射線画像信号に対して暗号化処理が施された暗号化放射線画像信号であって、放射線画像検出装置から無線通信信号として出力された暗号化放射線画像信号を受信し、その受信した暗号化放射線画像信号に対して、撮影に関する情報に基づく鍵情報を用いて復号化処理を施して放射線画像信号を生成することを特徴とする。
【００１６】
本発明の放射線画像検出装置は、被写体を透過した放射線の照射を受けて被写体の放射線画像を検出する放射線検出部と、放射線検出部から放射線画像を表す放射線画像信号を読み取る読取部と、被写体の放射線画像の撮影に関する情報を取得する撮影情報取得部と、撮影情報取得部によって取得された撮影に関する情報に基づく鍵情報を用いて、放射線画像に対して暗号化処理を施して暗号化放射線画像信号を生成する暗号化処理部と、暗号化処理部よって生成された暗号化放射線画像信号を無線通信信号として出力する無線通信部とを備えたことを特徴とする。
【００１７】
また、上記本発明の放射線画像検出装置においては、撮影に関する情報を、放射線画像の撮影毎に変わる情報を含むものとできる。
【００１８】
また、鍵情報を、撮影に関する情報の一部を用いて生成されたものとできる。
【００１９】
また、撮影に関する情報を、放射線画像の撮影手技、被写体としての患者情報、および放射線画像の撮影時刻の少なくとも１つの情報を含むものとできる。
【００２０】
また、撮影に関する情報を、放射線画像の撮影を実施した際に取得される撮影実施条件を含むものとできる。
【００２１】
本発明の放射線画像信号生成装置は、被写体の放射線画像の撮影に関する情報の入力を受け付ける撮影情報受付部と、上記本発明の放射線画像検出装置に対して、撮影情報受付部によって受け付けられた撮影に関する情報を無線通信信号として出力するとともに、放射線画像検出装置において撮影に関する情報に基づく鍵情報を用いて生成され、無線通信信号として出力された暗号化放射線画像信号を受信する無線通信部と、無線通信部によって受信された暗号化放射線画像信号に対して、撮影に関する情報に基づく鍵情報を用いて復号化処理を施して放射線画像信号を生成する復号化処理部とを備えたことを特徴とする。
【００２２】
また、上記本発明の放射線画像信号生成装置においては、撮影に関する情報を、放射線画像の撮影毎に変わる情報を含むものとできる。
【００２３】
また、鍵情報を、撮影に関する情報の一部を用いて生成されたものとできる。
【００２４】
また、撮影に関する情報を、放射線画像の撮影手技、被写体としての患者情報、および放射線画像の撮影時刻の少なくとも１つの情報を含むものとできる。
【００２５】
また、撮影に関する情報を、放射線画像の撮影を実施した際に取得される撮影実施条件を含むものとできる。
【発明の効果】
【００２６】
本発明の放射線画像信号の暗号化処理方法、復号化処理方法、放射線画像検出装置および放射線画像信号生成装置によれば、被写体を透過した放射線の照射を受けて被写体の放射線画像を検出する放射線検出部から放射線画像を表す放射線画像信号を読み取るとともに、被写体の放射線画像の撮影に関する情報を取得し、その取得した撮影に関する情報に基づく鍵情報を用いて、放射線画像信号に対して暗号化処理を施して暗号化放射線画像信号を生成し、暗号化放射線画像信号を無線通信信号として出力し、その出力された暗号化放射線画像信号を受信し、その受信した暗号化放射線画像信号に対して、撮影に関する情報に基づく鍵情報を用いて復号化処理を施して放射線画像信号を生成するようにしたので、一般的には、撮影に関する情報としか認識されない情報を鍵情報として使用することにより、他人による鍵情報の取得を困難にすることができ、かつ撮影に関する情報は放射線画像の撮影毎に変わるので、即座に新しい鍵情報を生成しつつも復号化を困難にすることができる。
【００２７】
また、撮影に関する情報を用いて鍵情報を生成するので、放射線画像信号の暗号化を行わない既存の装置の並存利用が容易である。
【図面の簡単な説明】
【００２８】
【図１】本発明の放射線画像検出装置および放射線画像信号生成装置の一実施形態を用いた放射線画像撮影システムの概略構成図
【図２】放射線検出カセッテの内部構成図
【図３】放射線画像撮影システムの概略構成を示すブロック図
【図４】カセッテ送受信機とコンソール送受信機の内部構成の一部を示すブロック図
【図５】本発明の放射線画像検出装置および放射線画像信号生成装置の一実施形態を用いた放射線画像撮影システムの作用を説明するための図
【発明を実施するための形態】
【００２９】
以下、図面を参照して本発明の放射線画像検出装置および放射線画像生成装置の一実施形態を用いた放射線画像撮影システムについて説明する。図１は、本実施形態の放射線画像撮影システム１０が設置された手術室の様子を示したものである。
【００３０】
本実施形態の放射線画像撮影システム１０は、撮影条件に従った線量からなる放射線Ｘを患者１４に照射するための撮影装置２２と、患者１４を透過した放射線Ｘを検出し、患者１４の放射線画像を記録する放射線検出器を内蔵した放射線検出カセッテ２４と、放射線検出器によって検出された放射線画像を表示する表示装置２６と、撮影装置２２、放射線検出カセッテ２４および表示装置２６を制御するコンソール２８とを備えている。コンソール２８と、撮影装置２２、放射線検出カセッテ２４および表示装置２６との間では、無線通信により信号の送受信が行なわれる。
【００３１】
撮影装置２２は、自在アーム３０に連結され、患者１４の撮影部位に応じた所望の位置に移動可能であるとともに、医師による手術の邪魔とならない位置に待避可能である。同様に、表示装置２６は、自在アーム３２に連結され、撮影された放射線画像を医師が容易に観察できる位置に移動可能である。
【００３２】
図２は、放射線検出カセッテ２４の内部構成図である。放射線検出カセッテ２４は、放射線Ｘを透過させる材料からなるケーシング３４を備えている。ケーシング３４の内部には、患者１４による放射線Ｘの散乱線を除去するグリッド３８と、患者１４を透過した放射線Ｘを検出し、患者１４の放射線画像を記録する放射線検出器４０と、および放射線Ｘのバック散乱を吸収する鉛板４２とが、放射線Ｘが照射されるケーシング３４の照射面３６側から順に配設されている。
【００３３】
また、ケーシング３４の内部には、放射線検出カセッテ２４の電源であるバッテリ４４と、バッテリ４４から供給される電力により放射線検出器４０を駆動制御するカセッテ制御部４６と、放射線検出器４０から読み取られた放射線画像信号などをコンソール２８に無線通信信号として送信するとともに、コンソール２８から出力された制御信号などを受信するカセッテ送受信機４８とが収容されている。
【００３４】
なお、カセッテ制御部４６およびカセッテ送受信機４８には、放射線Ｘが照射されることによる損傷を回避するため、ケーシング３４の照射面３６側に鉛板などを配設しておくことが望ましい。
【００３５】
放射線検出器４０は、放射線画像の記録と読出しを繰り返して行うことができるものであり、放射線の照射を直接受けて電荷を発生する、いわゆる直接型の放射線画像検出器を用いてもよいし、放射線を一旦可視光に変換し、その可視光を電荷信号に変換する、いわゆる間接型の放射線画像検出器を用いるようにしてもよい。また、放射線画像信号の読出方式としては、ＴＦＴ（thin film transistor）スイッチがオン・オフされることによって放射線画像信号が読みだされる、いわゆるＴＦＴ読出方式のものや、読取光を照射することによって放射線画像信号が読み出される、いわゆる光読出方式のものを用いることが望ましいが、これに限らずその他のものを用いるようにしてもよい。
【００３６】
図３は、撮影装置２２、放射線検出カセッテ２４、表示装置２６およびコンソール２８からなる放射線画像撮影システム１０の内部構成を示すブロック図である。
【００３７】
撮影装置２２は、撮影スイッチ７２と、放射線Ｘを出力する放射線源７４と、コンソール２８から無線通信により撮影条件を受信する一方、コンソール２８に対して無線通信により撮影完了信号などを送信する送受信機７６と、撮影スイッチ７２から供給される撮影開始信号および送受信機７６から供給される撮影条件に基づいて放射線源７４を制御する線源制御部７８とを備えている。
【００３８】
放射線検出カセッテ２４には、上述したように放射線検出器４０、バッテリ４４、カセッテ制御部４６、カセッテ送受信機４８および電源スイッチ４５が収容されている。また、放射線検出カセッテ２４には、コンソール２８から出力された撮影オーダ情報を表示する表示部８５や、放射線検出カセッテ２４を操作するための信号を入力可能な操作部８６などが設けられている。
【００３９】
カセッテ制御部４６は、放射線検出器４０から読み出された放射線画像信号を記憶する画像メモリ８０と、コンソール２８から出力され、カセッテ送受信機４８によって受信された撮影オーダ情報を取得する撮影オーダ取得部８１と、撮影オーダ取得部８１によって取得された撮影オーダに基づいて鍵情報を生成する鍵情報生成部８２と、鍵情報生成部８２において生成された鍵情報に基づいて、画像メモリ８０から読み出された放射線画像信号に暗号化処理を施す暗号化処理部８３と、上述した各部を制御する制御部８４とを備えている。
【００４０】
撮影オーダ取得部８１は、上述したようにコンソール２８から出力された撮影オーダ情報を取得するものであるが、ここで、撮影オーダ情報について説明する。
【００４１】
撮影オーダ情報は、コンソール２８の入力部１０３において、医師や放射線技師（以下、操作者という）によって放射線画像の撮影前に設定されるものである。そして、撮影オーダ情報としては、たとえば、撮影手技や、撮影時刻や、患者情報などといったものがある。これらの情報は、放射線画像の撮影毎にコンソール２８において設定登録されるものであり、撮影毎にその内容が異なるものである。
【００４２】
撮影手技の情報は、たとえば、放射線検出カセッテ２４の表示部８５に表示されて、操作者が患者１４のポジショニングを行うために用いられるものである。また、撮影手技の情報は、患者１４に対して、適切な線量の放射線Ｘを照射するための管電圧、管電流、照射時間などを決定するためにも用いられるものである。
【００４３】
また、撮影時刻は、上述したように操作者が設定入力してもよいし、コンソール２８から撮影オーダ情報を出力する際に、コンソール２８内のタイマー（図示省略）の時刻を自動的に取得して撮影時刻としてもよい。
【００４４】
また、患者情報は、患者１４の氏名、性別、患者ＩＤ番号など、患者１４を特定するための情報である。
【００４５】
なお、本実施形態の説明では、撮影オーダ情報として撮影手技、撮影時刻および患者情報を説明したが、その他のオーダ情報が含まれていてもよく、特に、放射線画像の撮影毎に異なる情報をさらに含めることが望ましい。
【００４６】
鍵情報生成部８２は、撮影オーダ取得部８１によって取得された撮影オーダ情報が入力され、その撮影オーダ情報に基づいて、暗号化処理のために用いられる鍵情報を生成するものである。本実施形態においては、具体的には、撮影オーダ情報を構成する文字列（数字も含む）のうちの最初の８文字や、９文字〜１５文字などの一部の文字列を表すデジタルデータを抽出して鍵情報を生成するものである。なお、本実施形態においては、撮影オーダ情報の一部の文字列を鍵情報として用いるようにしたが、撮影オーダ情報の全ての文字列を鍵情報として用いるようにしてもよい。
【００４７】
暗号化処理部８３は、上述したようにして鍵情報生成部８２おいて生成された鍵情報が入力され、その鍵情報を用いて、画像メモリ８０から読み出された放射線画像信号に対して暗号化処理を施すものである。暗号化の方式としては、例えば、ＲＣ４、ＤＥＳ（Data Encryption Standard）、ＩＤＥＡ(International Data Encryption Algorithm)、ＦＥＡＬ(First Encryption Algorithm)、ＭＩＳＴＹ、ＷＥＰ（Wired Equivalent Privacy）や、ＡＥＳ(Advanced Encryption Standard)などを用いることができるが、その他の暗号化方式を用いるようにしてもよい。
【００４８】
また、暗号化処理部８３は、撮影オーダ取得部８１において取得された撮影オーダ情報を取得し、その撮影オーダ情報をヘッダー情報として暗号化放射線画像信号に付加して出力するものである。
【００４９】
制御部８４は、放射線検出器４０および画像メモリ８０からの放射線画像信号の読出しを制御するとともに、放射線検出器４０の動作状態など放射線検出カセッテ２４内の種々の情報をカセッテ送受信機４８を介してコンソール２８に出力したり、放射線検出カセッテ２４に対する種々の制御信号をカセッテ送受信機４８を介してコンソール２８から受信するものである。
【００５０】
電源スイッチ４５は、カセッテ制御部４６の制御部８４からの制御信号Ｓｓによりオン・オフが切り替えられ、バッテリ４４と放射線検出器４０、カセッテ制御部４６およびカセッテ送受信機４８などとを接続するものである。制御部８４は、コンソール２８から出力され、カセッテ送受信機４８を介して入力された制御信号に基づいて電源スイッチ４５に制御信号Ｓｓを出力するものである。
【００５１】
表示装置２６は、コンソール２８から放射線画像信号を受信する受信機９０と、受信した放射線画像信号の表示制御を行う表示制御部９２と、表示制御部９２によって処理された放射線画像信号に基づいて放射線画像を表示する表示部９４とを備えている。
【００５２】
コンソール２８は、撮影装置２２、放射線検出カセッテ２４および表示装置２６に対して、放射線画像信号を含む必要な情報を無線通信により送受信するコンソール送受信機９６と、上述した撮影オーダ情報を管理する撮影オーダ管理部１０４と、放射線検出カセッテ２４から暗号化放射線画像信号とともに出力された撮影オーダ情報に基づいて、鍵情報を生成する鍵情報生成部１０５と、鍵情報生成部１０５によって生成された鍵情報を用いて、放射線検出カセッテ２４から出力された暗号化放射線画像信号に対して復号化処理を施し、放射線画像信号を生成する復号化処理部１０６と、復号化された放射線画像信号に対して画像処理を施す画像処理部１００と、画像処理の施された放射線画像信号を記憶する画像メモリ１０１と、放射線検出カセッテ２４の電源スイッチ４５をＯＮにする制御信号や種々の制御信号を出力するとともに、放射線検出カセッテ２４から放射線検出器４０の動作状態など放射線検出カセッテ２４内の種々の情報を受け付けるカセッテ制御部１０２と、撮影手技や撮影対象の患者情報の入力を受け付ける入力部１０３とを備えている。
【００５３】
撮影オーダ管理部１０４は、本実施形態においては、入力部１０３において操作者によって入力された撮影オーダ情報を受け付けることによって撮影オーダ情報を取得するものであるが、入力部１０３からの入力ではなく、ネットワーク経由で外部装置から出力された撮影オーダ情報を取得するようにしてもよい。
【００５４】
鍵情報生成部１０５は、放射線検出カセッテ２４から出力された暗号化放射線画像信号のヘッダー情報として付加された撮影オーダ情報を取得し、その撮影オーダ情報に基づいて、復号化処理のために用いられる鍵情報を生成するものである。鍵情報の生成方法としては、放射線検出カセッテ２４の鍵情報生成部８２における生成方法と同じ方法が用いられる。なお、本実施形態においては、放射線検出カセッテ２４からヘッダー情報として出力された撮影オーダ情報に基づいて鍵情報を生成するようにしたが、これに限らず、撮影オーダ管理部１０４において受け付けられた撮影オーダ情報を用いて鍵情報を生成するようにしてもよい。
【００５５】
復号化処理部１０６は、上述したように鍵情報生成部１０５において生成された鍵情報を用いて、放射線検出カセッテ２４から出力された暗号化放射線画像信号に対して復号化処理を施すものであるが、復号化処理としては、放射線検出カセッテ２４の暗号化処理部８３において用いられた暗号化方式に応じた処理が用いられる。
【００５６】
図４は、放射線検出カセッテ２４におけるカセッテ送受信機４８とコンソール２８におけるコンソール送受信機９６の内部構成の一部を示すブロック図である。
【００５７】
放射線検出カセッテ２４におけるカセッテ送受信機４８は、マイクロコンピュータを備えるカセッテ送受信制御部２０２と、アンテナ２０３と、アンテナ共用器２０５と、受信部２０８と、送信部２１０とを備えている。
【００５８】
受信部２０８は、アンテナ２０３により受信した電波をアンテナ共用器２０５を介して受信して復調し、受信信号としてカセッテ送受信制御部２０２に出力するものである。送信部２１０は、暗号化処理部８３から出力され、カセッテ送受信制御部２０２から所定の転送レートで出力されたヘッダー情報（撮影オーダ情報）の付加された暗号化放射線画像信号を変調して出力するものである。
【００５９】
一方、コンソール送受信機９６は、マイクロコンピュータを備えるコンソール送受信制御部２２０と、アンテナ２２４と、アンテナ共用器２２６と、受信部２２８と、送信部２３０とを備えている。
【００６０】
受信部２２８は、アンテナ２２４により受信した電波をアンテナ共用器２２６を介して受信して復調し、受信データとしてコンソール送受信制御部２２０に出力するものである。送信部２１０は、撮影オーダ管理部１０４から出力され、コンソール送受信制御部２２０から所定の転送レートで出力された撮影オーダ情報などを変調して出力するものである。
【００６１】
次に、本実施形態の放射線画像撮影システム１０の動作について、図５を参照しながら説明する。図５は、コンソール２８における処理と放射線検出カセッテ２４における処理とを時系列に上から下に並べて記載したものである。
【００６２】
まず、操作者によって、コンソール２８の入力部１０３を用いて、撮影対象の患者情報や撮影手技などの撮影オーダ情報が設定登録される（Ｓ１０）。そして、入力部１０３から入力された撮影オーダ情報は、撮影オーダ管理部１０４によって取得されて保存される。
【００６３】
そして、操作者の所定の操作によりコンソール２８のカセッテ制御部１０２から放射線検出カセッテ２４の電源スイッチ４５をＯＮするための制御信号が出力され、その制御信号はコンソール送受信機９６を介してコンソール２８から出力される。
【００６４】
そして、その制御信号は放射線検出カセッテ２４のカセッテ送受信機４８により受信され、制御部８４に出力され、制御部８４から電源スイッチ４５に制御信号が出力されて電源スイッチ４５がＯＮされる。
【００６５】
そして、上述したような放射線検出カセッテ２４の電源投入が行われた後、撮影オーダ管理部１０４から撮影オーダ情報が読み出され、コンソール送受信機９６を介してコンソール２８から出力される（Ｓ１２）。
【００６６】
コンソール２８から出力された撮影オーダ情報は、放射線検出カセッテ２４のカセッテ送受信機４８によって受信され、カセッテ制御部４６の撮影オーダ取得部８１によって取得される（Ｓ１４）。
【００６７】
そして、撮影オーダ取得部８１によって取得された撮影オーダ情報は、制御部８４によって取得され、制御部８４は、取得した撮影オーダ情報を表示部８５に表示させる（Ｓ１６）。
【００６８】
操作者は、表示部８５に表示された撮影オーダ情報に基づいて、患者１４の本人確認をするとともに、撮影手技の内容に基づいて、患者１４と手術台１６との間の所定位置に、照射面３６を撮影装置２２側とした状態で放射線検出カセッテ２４を設置して、患者１４のポジショニングを行う。
【００６９】
そして、上述したようにして患者１４のポジショニングが行われた後、放射線画像の撮影が行われる（Ｓ１８）。
【００７０】
具体的には、撮影装置２２を放射線検出カセッテ２４に対向する位置に移動させた後、撮影スイッチ７２を操作して撮影を行なう。
【００７１】
撮影装置２２の線源制御部７８は、コンソール送受信機９６、送受信機７６を介して、コンソール２８の撮影オーダ管理部１０４より患者１４の撮影部位に係る撮影条件を無線通信により取得し、その取得した撮影条件に従って放射線源７４を制御することにより、所定の線量からなる放射線Ｘを患者１４に照射する。
【００７２】
患者１４を透過した放射線Ｘは、放射線検出カセッテ２４のグリッド３８によって散乱線が除去された後、放射線検出器４０に照射され、放射線検出器４０によって光電変換されて電荷信号として蓄積される。
【００７３】
そして、上記のようにして放射線Ｘの照射が終了した後、放射線検出器４０に蓄積された電荷信号はカセッテ制御部４６の制御部８４によって読み出され、サンプルホールド回路によってサンプリングされた後、Ａ／Ｄ変換器によってデジタル信号に変換され、画像メモリ８０に一旦記憶される。
【００７４】
そして、カセッテ制御部４６の制御部８４は、画像メモリ８０に送信に必要な単位の放射線画像信号が記憶されると、画像メモリ８０からその送信単位の放射線画像信号を順次読出し、これを暗号化処理部８３に出力する。
【００７５】
ここで、制御部８４は、画像メモリ８０に記憶された放射線画像信号を間引いた低解像度の放射線画像信号をポジショニング確認用信号として生成し、そのポジショニング確認用信号を暗号化処理部８３に出力する（Ｓ２０）。
【００７６】
一方、カセッテ制御部４６の撮影オーダ取得部８１によって取得された撮影オーダ情報は鍵情報生成部８２にも出力され、鍵情報生成部８２は、入力された撮影オーダ情報に基づいて鍵情報を生成する。なお、鍵情報の生成方法については、上述したとおりである。
【００７７】
鍵情報生成部８２によって生成された鍵情報は暗号化処理部８３に出力され、暗号化処理部８３は、入力された鍵情報を用いて、ポジショニング確認用信号に暗号化処理を施し、暗号化ポジショニング確認用信号を生成する（Ｓ２２）。
【００７８】
暗号化処理部８３は、上述したようにして生成した暗号化ポジショニング確認用信号に対し、ヘッダー情報として撮影オーダ情報を付加してカセッテ送受信機４８に出力する。
【００７９】
そして、撮影オーダ情報付きの暗号化ポジショニング確認用信号は、カセッテ送受信機４８におけるカセッテ送受信制御部２０２によって所定の転送レートで送信部２１０に出力され、送信部２１０おいて変調された後、アンテナ共用器２０５およびアンテナ２０３を介して無線通信信号としてコンソール２８に送信される（Ｓ２２）。
【００８０】
そして、コンソール２８に送信された変調信号は、コンソール２８のコンソール送受信機９６によって受信され（Ｓ２４）、コンソール送受信機９６において撮影オーダ情報付きの暗号化ポジショニング確認用信号として復調される。
【００８１】
次に、コンソール送受信機９６において復調された撮影オーダ情報付きの暗号化ポジショニング確認用信号は鍵情報生成部１０５に入力され、鍵情報生成部１０５において、撮影オーダ情報に基づいて鍵情報が生成される。なお、鍵情報の生成方法については、上述したとおりである。
【００８２】
そして、鍵情報生成部１０５において生成された鍵情報と暗号化ポジショニング確認用信号とが復号化処理部１０６に入力され、復号化処理部１０６は、入力された鍵情報を用いて、暗号化ポジショニング確認用信号に対して復号化処理を施してポジショニング確認用信号を生成する（Ｓ２８）。
【００８３】
復号化処理部１０６において生成されたポジショニング確認用信号は、画像処理部１００において所定の画像処理が施された後、撮影オーダ管理部１０４に登録されている患者１４の患者情報と関連付けられた状態で画像メモリ１０１に一旦記憶される。
【００８４】
次いで、画像処理の施されたポジションング確認用信号は、コンソール送受信機９６から表示装置２６に送信される。そして、表示装置２６の受信機９０によってポジショニング確認用信号を受信した表示装置２６は、表示制御部９２によって表示部９４を制御し、ポジショニング確認用画像を表示部９４に表示する。
【００８５】
そして、表示部９４に表示されたポジショニング確認用画像が操作者によって確認され（Ｓ３０）、患者１４のポジショニングに特に問題ないと判断された場合には、操作者によって入力部１０３を用いて読影用放射線画像信号の要求指示が入力される。
【００８６】
入力部１０３において入力された読影用放射線画像信号の要求指示を示す信号は、コンソール送受信機９６を介して放射線検出カセッテ２４に出力され（Ｓ３２）、カセッテ送受信機４８によって受信され、制御部８４に入力される（Ｓ３４）。
【００８７】
一方、放射線検出カセッテ２４においては、暗号化ポジションング確認用信号を送信した後、上述したようなポジショニング確認用画像の操作者による確認の間に、制御部８４は、画像メモリ８０から読み出した間引き前の放射線画像信号を読影用放射線画像信号として暗号化処理部８３に出力する。
【００８８】
そして、暗号化処理部８３は、ポジショニング確認用信号に対して暗号化処理を施した際に用いた鍵情報を用いて、読影用放射線画像信号に暗号化処理を施し、暗号化読影用放射線画像信号を生成する（Ｓ２６）。
【００８９】
そして、放射線検出カセッテ２４の制御部８４は、コンソール２８から出力された読影用放射線画像信号の要求指示を示す信号に応じて、暗号化処理部８３から暗号化読影用放射線画像信号を出力させる。なお、このときも暗号化読影用放射線画像信号に対し、ヘッダー情報として撮影オーダ情報が付加されたカセッテ送受信機４８に出力される。
【００９０】
そして、撮影オーダ情報付きの暗号化読影用放射線画像信号は、カセッテ送受信機４８におけるカセッテ送受信制御部２０２によって所定の転送レートで送信部２１０に出力され、送信部２１０おいて変調された後、アンテナ共用器２０５およびアンテナ２０３を介して無線通信信号としてコンソール２８に送信される（Ｓ３６）。
【００９１】
そして、コンソール２８に送信された変調信号は、コンソール２８のコンソール送受信機９６によって受信され（Ｓ３８）、コンソール送受信機９６において撮影オーダ情報付きの暗号化読影用放射線画像信号として復調される。
【００９２】
次に、コンソール送受信機９６において復調された撮影オーダ情報付きの暗号化読影用放射線画像信号は鍵情報生成部１０５に入力され、鍵情報生成部１０５において、撮影オーダ情報に基づいて鍵情報が生成される。
【００９３】
そして、鍵情報生成部１０５において生成された鍵情報と暗号化読影用放射線画像信号が復号化処理部１０６に入力され、復号化処理部１０６は、入力された鍵情報を用いて、暗号化読影用放射線画像信号に対して復号化処理を施して読影用放射線画像信号を生成する（Ｓ４０）。
【００９４】
復号化処理部１０６において生成された読影用放射線画像信号は、画像処理部１００において所定の画像処理が施された後、撮影オーダ管理部１０４に登録されている患者１４の患者情報と関連付けられた状態で画像メモリ１０１に記憶される。
【００９５】
次いで、画像処理の施された読影用放射線画像信号は、コンソール送受信機９６から表示装置２６に送信される。そして、表示装置２６の受信機９０によって読影用放射線画像信号が受信され、表示装置２６は、表示制御部９２によって表示部９４を制御し、読影用放射線画像を表示部９４に表示する。
【００９６】
また、上記実施形態においては、コンソール２８において受け付けられた撮影オーダ情報に基づいて鍵情報を生成するようにしたが、これに限らず、たとえば、放射線画像の撮影を実施した際の撮影実施条件を放射線検出カセッテ２４またはコンソール２８によって取得するようにし、その撮影実施条件に基づいて鍵情報を生成するようにしてもよい。撮影実施条件としては、たとえば、放射線画像の撮影を行った際の管電圧や、ｍＡｓ値や、設定ＳＩＤ、放射線画像の撮影枚数、放射線の曝射時間などがあるが、これら以外の条件を用いるようにしてもよい。設定ＳＩＤとは、放射線画像の撮影の際の放射線源７４と放射線検出器４０との距離である。管電圧や、ｍＡｓ値などは、たとえば、ＡＥＣ（Auto Exposure Control）を行う場合などに取得することができる。
【００９７】
そして、これらの撮影実施条件に基づいて放射線検出カセッテ２４の鍵情報生成部８２において鍵情報を生成し、その鍵情報を用いてポジショニング確認用信号や読影用放射線画像信号に対して暗号化処理を施すようにすればよい。そして、撮影実施条件をヘッダー情報として付加した暗号化ポジショニング確認用信号や暗号化読影用放射線画像信号を放射線検出カセッテ２４からコンソール２８に出力し、コンソール２８において、受信した撮影実施条件に基づいて鍵情報を生成し、その鍵情報を用いて暗号化ポジショニング確認用信号や暗号化読影用放射線画像信号に復号化処理を施すことによってポジショニング確認用信号や読影用放射線画像信号を生成するようにしてもよい。
【００９８】
また、上記実施形態においては、放射線検出カセッテ２４とコンソール２８とで同じ鍵情報を生成し、その鍵情報を用いて暗号化および復号化を行うようにしたが、たとえば、コンソール２８が、鍵情報生成部１０５または復号化処理部１０６を備えていないものである場合には、放射線検出カセッテ２４から暗号化する前のポジショニング確認用信号や読影用放射線画像信号を出力するようにすればよい。このようにすれば既存のシステムとの親和性も高くすることができる。
【符号の説明】
【００９９】
１０   放射線画像撮影システム
２２   撮影装置
２４   放射線検出カセッテ
２６   表示装置
２８   コンソール
４０   放射線検出器
４４   バッテリ
４６   カセッテ制御部
４８   カセッテ送受信機
７４   放射線源
８１   撮影オーダ取得部
８２   鍵情報生成部
８３   暗号化処理部
８４   制御部
８５   表示部
９６   コンソール送受信機
１０４ 撮影オーダ管理部
１０５ 鍵情報生成部
１０６ 復号化処理部
【図１】
2012040216.tif 000003
【図２】
2012040216.tif 000004
【図３】
2012040216.tif 000005
【図４】
2012040216.tif 000006
【図５】
2012040216.tif 000007